【事件の表示】
　特願２００２−８２８３４「カード式パチンコ遊技装置」拒絶査定不服審判事件〔平成１４年１１月５日出願公開、特開２００２−３２０７５８〕について、次のとおり審決する。
【結　論】
　本件審判の請求は、成り立たない。
【理　由】
１．手続の経緯
　本願は、平成３年７月１１日に出願した特願平３−１９７１６８号の一部を平成１４年３月２５日に新たな特許出願としたものであって、平成１７年１０月３日付けで拒絶理由が通知され、これに対し、平成１７年１１月３０日付けで手続補正がなされ、平成１８年２月２３日付けで拒絶査定がなされ、これに対し、平成１８年３月３０日に拒絶査定に対する審判請求がなされるとともに、手続補正がなされたものである。
　
２．本願発明
　本願の請求項１に係る発明（以下、「本願発明」という。）は、平成１８年３月３０日付けの手続補正によって補正された明細書及び図面の記載からみて、特許請求の範囲の請求項１に記載されているところ、その全体構成を分説（ａ乃至ｄは、便宜上の整理のために付した。）すると、以下の記載のとおりのものと認められる。
　「（ａ）カード挿排口を備えた球貸機と、
　該球貸機と対を成し、前面に設けられた供給皿側へ賞球または貸球としての遊技球を排出するための排出制御を行う排出制御装置と、遊技盤に関する制御を司ると共に、賞球排出に関わる信号を上記排出制御装置へ送信する遊技盤制御装置とを有するパチンコ遊技機と、
　を備えたカード式パチンコ遊技装置において、
　（ｂ）上記パチンコ遊技機の排出制御装置と上記球貸機とをフォトカプラを介して送受信可能に接続すると共に、上記球貸機への入力のために用いられる変換スイッチおよびカード返却スイッチと、上記球貸機により制御されるカード残高表示器および上記変換スイッチの有効・無効を表示する球貸可能表示器を上記パチンコ遊技機の前面に設け、
　（ｃ）上記パチンコ遊技機の排出制御装置は、
　球貸し排出が可能な状態にある場合に上記球貸機に対して球貸し可能信号を送信すると共に、該球貸機から供給される排出要求を示す排出要求信号に基づいて、該排出要求信号ごとに最小排出単位の個数の遊技球を排出させる排出制御を行い、該最小排出単位の個数の遊技球の排出終了ごとに排出が終了したことを示す信号を上記球貸機へ送信するように構成し、
　（ｄ）上記球貸機は、
　上記変換スイッチの一回の操作に対して上記最小排出単位の個数の整数倍単位で貸球数を設定可能な球貸し数設定手段を備え、
　上記変換スイッチの一回の操作に基づき、挿入されたカードの残高が上記球貸し数設定手段により設定された貸球数に相当する金額を満たす場合には、該設定された貸球数の遊技球を排出させるように上記パチンコ遊技機の排出制御装置へ最小排出単位の排出要求を送信する一方、上記挿入されたカードの残高が上記球貸し数設定手段により設定された貸球数に相当する金額に満たない場合は、当該挿入されたカードの残高に相当する貸球数の遊技球を排出させるように上記パチンコ遊技機の排出制御装置へ最小排出単位の排出要求信号を送信するように成し、該排出要求信号を送信するごとに上記球貸し可能信号により上記パチンコ遊技機の排出制御装置が球貸し可能状態にあることを確認するように構成したことを特徴とするカード式パチンコ遊技装置。」
　
３．引用例に記載の発明
　これに対して、原査定の拒絶の理由に引用された特願平３−９９３４４号（特開平４−３２９９８８号公報参照）の願書に最初に添付した明細書及び図面（以下「先願明細書」という。）には、以下の事項が記載されている。
　
記載事項１；「パチンコ遊技機６０の左右方向一側部（図面では左側）にはカード処理機６２がパチンコ遊技機６０に対し分離可能な状態で設けられている。図中１３０は処理機使用可表示器であり、カード処理機６２が作動中で使用可能である旨を点灯表示するためのものである。カード処理機６２にはカードリーダライタが設けられたカードリーダライタ制御部１３４が設けられており、カード挿入・排出口１３３からカードを挿入すればそのカードに記録されている記録情報がこのカードリーダライタにより読取れる。その読取られたカード情報に含まれている挿入時のカード残額が挿入時残高表示器１３１により表示される。この挿入時残高表示器１３１は、パチンコ遊技機６０側に設けてもよく、また、幕板等の他の場所に設けてもよい。このカード処理機６２にはＣＰＵ，ＲＯＭ，ＲＡＭ等が内蔵されたカード処理機制御部１３５が設けられており、このカード処理機制御部１３５よりカード処理機６２全体が制御される。」（段落０００９）
　
記載事項２；「カード処理機６２の裏面側には、１回の玉貸操作により払出される貸玉額を予め入力設定するための貸玉額設定スイッチ１３７が設けられており、図示するように、１００円，２００円，３００円，４００円，５００円の５種類の金額が入力設定できるようになっている。たとえば遊技場の係員により図示のように貸玉額が３００円に設定されればその３００円が貸玉額としてカード処理機制御部１３５のマイクロコンピュータ３００（図１９参照）に記憶される。そして、遊技者がカードをカード挿入・排出口１３３に挿入し、玉貸ボタン４４ｃを押圧操作することにより自動的にこの貸玉額（３００円）分のパチンコ玉が打球供給皿５９内に払出されカード残額から減額されることになる。…」（段落００１６）
　
記載事項３；「遊技領域１２０内に打込まれたパチンコ玉が始動入賞口１２５ａ，１２５ｂ，１２５ｃ（図１参照）に入賞すれば、その入賞玉が始動入賞玉検出スイッチ１２８ａ，１２８ｂ，１２８ｃにより検出され、その検出信号に基づいてゲーム制御基板ボックス１４８内のゲーム制御基板が可変表示装置１２３（図１参照）の可変制御を行なう。この始動入賞玉検出スイッチ１２８ａの検出信号はゲーム制御基板のゲーム制御用マイクロコンピュータ３７０を介して払出制御基板の払出制御用マイクロコンピュータ３５０（図２０参照）に入力され後述する制御に用いられる。…」（段落００１８）
　
記載事項４；「図４は、打球供給皿におけるそれぞれ異なった位置の縦断面図である。図４の（ａ）は、図１に示す打球供給皿５９の図示左側におけるスピーカ１５が設けられている部分の縦断面図である。前面板２に設けられている景品玉出口３０から打球貯留部３４にパチンコ玉が払出される。この打球貯留部３４は打球供給皿主部材３２によって構成されている。この打球供給皿主部材３２の下方に打球供給皿補助部材３６が設けられており、…」（段落００２４）
　
記載事項５；「図６は、前面板の正面側の要部を示す分解斜視図である。前面板２の前面側には、打球貯留部３４を形成している打球供給皿主部材３２と打球供給皿補助部材３６とが取付けられる。…」（段落００２９）
　
記載事項６；「打球供給皿補助部材３６には、図示するように、残金額表示器（カード残高表示器）５０，玉貸スイッチ（玉貸操作検出器）４４ｄ，返却スイッチ（返却操作検出器）４２ｄ，返却可ＬＥＤ（返却可表示器）４６ｄ，玉貸可ＬＥＤ（玉貸可表示器）４８ｄが取付けられている。…」（段落００３０）
　
記載事項７；「…さらに、この払出スプロケット７４をロック状態およびロック解除状態に切換るための払出ソレノイド２２３が設けられており、払出ソレノイド２２３が励磁されることによりアクチュエータ２３２が図９における左方向に引寄せられてアクチュエータ２３２によるストッパ係止部７８の係止が解除されて払出スプロケット７４が回転可能な状態となる。この払出ソレノイド２２３，アクチュエータ２３２，ストッパ係止部７８，払出スプロケット７４により玉払出機構が構成されている。」（段落００３９）
　
記載事項８；「…そして、払出スプロケット７４の回転によって下方に払出されたパチンコ玉は図示するように玉計数センサＡ（６８ｃ），玉計数センサＢ（６８ｄ）によって検出される。このようにして、払出スプロケット７４が１ピッチ角度だけ回転することにより玉通過口６４ａ，６４ｂのいずれかから交互にパチンコ玉が１個ずつ排出される。」（段落００４４）
　
記載事項９；「図１９は、カード処理機制御部の制御回路を示すブロック図である。カード処理機制御部１３５（図２参照）にはカード処理機制御用マイクロコンピュータ３００が組込まれている。…」（段落００６０）
　
記載事項１０；「払出制御用マイクロコンピュータ３５０から中継端子基板１３８，情報入力回路３１２を介して、後述する払出可能信号，玉貸準備信号，貸玉完了信号が入力される。この情報入力回路３１２はフォトカプラが内蔵されており、払出制御用マイクロコンピュータ３５０からの前述した各種信号がフォトカプラを介してカード処理機制御用マイクロコンピュータ３００に入力される。このようにフォトカプラを介して信号が入力されるために、払出制御用マイクロコンピュータ３５０に発生した故障による悪影響がカード処理機制御用マイクロコンピュータ３００にまで及ばないために、払出制御用マイクロコンピュータ３５０の故障に起因してカード処理機制御用マイクロコンピュータ３００まで故障してしまうという不都合が極力防止できる。」（段落００６６）
　
記載事項１１；「払出制御用マイクロコンピュータ３５０には、入力信号として次のような信号が与えられる。」（段落００７１）
　
記載事項１２；「入賞玉処理機構４４５の入賞玉センサＡ（１７０ａ），Ｂ（１７０ｂ）が入賞玉を検出すれば、その検出出力が検出回路３６０を介して入力される。タンク玉センサ１５０による玉タンク１５１内の玉の有無が検出され（図２参照）、その検出出力が遊技機用ターミナルボックス１４９，検出回路３６０を介して入力される。ゲーム制御基板ボックス１４８（図２参照）内に収納されているゲーム制御基板に設けられているゲーム制御用マイクロコンピュータ３７０から中継端子基板１３８，情報入力回路３６５を介し、後述するパチンコ玉の入賞信号が払出制御用マイクロコンピュータ３５０に入力される。カード処理機制御用マイクロコンピュータ３００から中継端子基板１３８，情報入力回路３６５を介して、玉貸要求信号が入力される。この情報入力回路３６５にはフォトカプラが設けられており、ゲーム制御用マイクロコンピュータ３７０とカード処理機制御用マイクロコンピュータ３００から入力される前述した信号がそのフォトカプラを介して払出制御用マイクロコンピュータ３５０に入力される。その結果、ゲーム制御用マイクロコンピュータ３７０とカード処理機制御用マイクロコンピュータ３００とに発生した故障の悪影響が払出制御用マイクロコンピュータ３５０にまで及ぶことを防止でき、ゲーム制御用マイクロコンピュータ３７０またはカード処理機制御用マイクロコンピュータ３００に発生した故障に起因して払出制御用マイクロコンピュータ３５０も故障してしまうという不都合を極力防止できる。」（段落００７３）
　
記載事項１３；「次に、払出制御用マイクロコンピュータ３５０は以下の回路や機器に対し次のような制御信号を出力する。」（段落００７４）
　
記載事項１４；「…ソレノイド駆動回路３６２を介して払出ソレノイド２２３（図９参照）にソレノイド励磁用制御信号を出力する。…」（段落００７５）
　
記載事項１５；「…一方、遊技者が玉貸ボタン４４ｃ（図１参照）を押圧操作すれば、Ｓ１３に進み、挿入カードの現在残高すなわちカード残高表示器５０（図１参照）に表示されている残高が貸玉額設定スイッチ１３７（図２参照）で設定された設定額以上であるか否かの判断が行なわれる。
そして、現在残高が設定額以上であった場合にはＳ１４により貸玉額にその設定額をセットする処理がなされてＳ１６に進む。一方、現在残高が設定額未満であった場合にはＳ１５により貸玉額に現在残高をセットした後にＳ１６に進む。つまり、挿入カードの現在残高が設定額に満たない場合には、その設定額を貸玉額にセットしてその設定額分のパチンコ玉を払出すわけにはいかないため、挿入カードによって払出が可能な最高金額すなわち挿入カードの現在残高を貸玉額にセットする処理がなされるのである。」（段落００７９）
　
記載事項１６；「…次にＳ１７に進み、払出制御用マイクロコンピュータに玉貸要求信号の出力を開始する制御がなされる。次にＳ１８に進み、タイマＴ１がセットされ、Ｓ１９に進み、払出制御用マイクロコンピュータから玉貸準備信号が入力されたか否かの判断がなされる。払出制御用マイクロコンピュータでは、Ｓ１７による玉貸要求信号を受けて、玉貸が可能な状態であれば玉貸のための準備制御を行なった後にＳ５５によりカード処理機制御用マイクロコンピュータに玉貸準備信号を出力する処理がなされる。…」（段落００８０）
　
記載事項１７；「一方、Ｓ２４により払出制御用マイクロコンピュータから玉貸準備信号の入力があったと判断された場合にはＳ２９に進み、返却可表示器４６ｄが消灯されて返却操作ができない旨を表示し、Ｓ３０に進み、タイマＴ３がセットされる。このタイマＴ３は、パチンコ遊技機側での貸玉の払出に要する時間を考慮してたとえば１０ｓｅｃ程度に設定されている。このタイマＴ３が終了する以前において払出制御用マイクロコンピュータから貸玉完了信号の入力があった場合にはＳ３５に進むが、このタイマＴ３が終了したとしても貸玉完了信号の入力がなかった場合にはＳ３３に進み、玉貸異常をカード残高表示器５０（図１参照）によりコードで表示する処理が行なわれ、Ｓ３４により処理機使用可表示器１３０（図１参照）が消灯されてＳ２６に進む。そしてＳ２６以降の挿入カードの返却制御が行なわれる。つまり、払出制御用マイクロコンピュータから玉貸準備信号の入力があり払出制御用マイクロコンピュータにより玉貸制御が行なわれているはずであるにもかかわらず、Ｔ３が終了しても玉貸完了信号が払出制御用マイクロコンピュータから送信されてこないということは、パチンコ遊技機側の玉払出装置等に何らかの異常が発生したことが考えられるのであり、その場合には挿入カードを遊技者に返却するのである。一方、Ｔ３が終了する以前に払出制御用マイクロコンピュータから玉貸完了信号が入力されればＳ３５により、現在残高から単位額を減算し、貸玉額から単位額を減算する処理がなされる。払出制御用マイクロコンピュータから玉貸完了信号が入力されたということは、パチンコ遊技機側で単位額（たとえば１００円）に相当するパチンコ玉が貸出されたことを意味するために、その貸出されたパチンコ玉に相当する金額である単位額を、挿入カードの現在残高から減算するとともにＳ１４，Ｓ１５でセットされた貸玉額からその単位額を減算するのである。次にＳ３６に進み、カード処理機用ターミナルボックスに単位額売上信号を出力する処理がなされる。このカード処理機用ターミナルボックスに送信されてきた単位額売上信号が玉貸カード集中管理コンピュータに出力され、玉貸カード集中管理コンピュータにより玉貸カードの使用データが集計される。なお、カード処理機用ターミナルボックスから玉貸カード集中管理コンピュータへの売上信号出力はリアルタイムで行なってもよいし、一定時間ごとあるいは一日ごとにまとめて行なってもよい。次にＳ３７に進み、玉貸要求信号の出力が停止され、Ｓ３８に進み、貸玉額＝０であるか否かの判断がなされる。Ｓ１４，Ｓ１５によってセットされた貸玉額に相当するパチンコ玉のうちまだ払出されていない未払出分が残っている場合には貸玉額が「０」となっていないためにＳ３８によりＯＮ（「ＮＯ」の誤記と認められる。）の判断がなされＳ１７に進み、払出制御用マイクロコンピュータに再度玉貸要求信号の出力がなされる。…」（段落００８２）
　
記載事項１８；「以上説明したように、パチンコ遊技機側で単位額（たとえば１００円）に相当するパチンコ玉（たとえば２５個）が貸出されるごとに払出制御用マイクロコンピュータからカード処理機制御用マイクロコンピュータに玉貸完了信号が出力されるのであり、カード処理機制御用マイクロコンピュータではその出力信号を入力するたびに貸玉額（Ｓ１４，Ｓ１５を参照）分のパチンコ玉がすべて貸出されたか否かの判断を行ない、未だに貸出されていない未貸出分がある場合にはその未貸出分をすべて貸出すまで前記単位額（たとえば１００円）のパチンコ玉の貸出を繰返し行なうのである。…」（段落００８４）
　
記載事項１９；「次に図２３ないし図２５に基づいて玉払出用の制御動作を説明する。まずＳ４８により、玉確認センサＡ，Ｂ共に玉有の検出をしているか否かの判断が行なわれる。図１０に示した玉確認センサＡ（６８ａ）と玉確認センサＢ（６８ｂ）との検出位置にパチンコ玉が存在する場合には、Ｓ４９に進み、満タン検出が行なわれているか否かの判断が行なわれる。余剰玉貯留皿１２２（図１参照）が未だに満杯になっていなければＳ５０に進み、未払出数＝０であるか否かの判断が行なわれる。この「未払出数」とは、払出すべきパチンコ玉のうち未だに払出が行なわれていないパチンコ玉の数を意味し、後述するＳ５４，Ｓ５９，Ｓ６２，Ｓ６３でそれぞれの値にセットされ、パチンコ玉が払出されるごとに後述するＳ８９により「１」ずつ減算される。」（段落００８８）
　
記載事項２０；「そして、未払出数が「０」の場合には、Ｓ５１に進み、カード処理機制御用マイクロコンピュータから玉貸要求信号があったか否かの判断が行なわれる。…」（段落００８９）
　
記載事項２１；「次に、タイマＴ７がタイムアップするまでの間に、Ｓ１７のステップに従ってカード処理機制御用マイクロコンピュータ３００から玉貸要求信号が送信されてくれば、Ｓ５１によりＹＥＳの判断がなされてＳ５２に進み、玉貸動作のための制御が行なわれる。このように、Ｔ７が終了するまでは玉貸動作のための制御を優先させ、Ｔ７が終了して初めて入賞玉に基づく景品玉の払出制御を行なうようにしたために、設定額（Ｓ１４，Ｓ１５を参照）が２００円以上の場合に、景品玉の払出制御よりも玉貸動作のための制御のほうが優先されることになる。」（段落００９２）
　
記載事項２２；「Ｓ５２により、タンク玉センサが玉を検出しているか否かの判断が行なわれ、検出していなければＳ５３に進み玉貸しによるパチンコ玉の払出し動作が不能動化されるが、検出しておればＳ５４に進み、未払出数にｐをセットし、払出状態を「玉貸」にセットする処理が行なわれる。「未払出数」とは、払出すべきパチンコ玉の中でまだ払出されていない払出残り数のことであり、Ｓ５４および後述するＳ５９，Ｓ６２，Ｓ６３によりそれぞれの値がセットされるとともにパチンコ玉が１個払出されるごとにＳ８９により「１」ずつ減算される。なお、Ｓ５４のｐとは、単位額（Ｓ３５を参照）に相当するパチンコ玉の個数でありたとえば２５個に定められている。次にＳ５５に進み、カード処理機制御用マイクロコンピュータ３００に玉貸準備信号を出力する処理が行なわれてＳ６９に進む。」（段落００９３）
　
記載事項２３；「…そしてＳ８４によりＴ６が終了したか否かの判断が行なわれ、終了した場合にはＳ８７に進み、検出個数＝０であるか否かの判断が行なわれる。正常に払出されている場合には検出個数が「１」になっているために、Ｓ８８に進み、検出個数をクリアし作動回数をクリアしてＳ８９により未払出数を「１」減算してＳ９０に進む。このＳ８９によりパチンコ玉が払出される毎に未払出数が「１」ずつ減算され、未払出数が「０」になっていない場合には前記Ｓ５０によりＮＯの判断がなされＳ６９以降のパチンコ玉の払出制御が行なわれるのであるが、未払出数が「０」になれば前記Ｓ５０によりＹＥＳの判断がなされ、パチンコ玉の払出が一旦終了して次の払出条件の成立まで払出制御が休止される。次にＳ９０により、払出状態が「玉貸」であるか否かの判断が行なわれ、払出状態が「玉貸」以外の場合すなわち入賞玉に基づく景品玉の払出の場合にはＳ９８に進み、景品玉の払出に伴う制御が行なわれる。一方、払出状態が「玉貸」の場合にはＳ９１に進み、未払出数＝０であるか否かの判断が行なわれ、０でない場合にはＳ４８に進むが、０の場合にはＳ９２に進み、カード処理機制御用マイクロコンピュータ３００に玉貸完了信号を出力する処理が行なわれ、Ｓ９３により、遊技機用ターミナルボックス１４９，コネクタ１５８，１５７を介してホール用管理コンピュータに単位額売上信号を出力する処理が行なわれる。この「単位額売上信号」とは、単位額（Ｓ１４，Ｓ１５を参照）分のパチンコ玉がカードを用いて貸出されたことによる単位額分のパチンコ玉の売上信号であり、この信号を受信したホール用管理コンピュータが、カードによる売上額の集計を行なう。次にＳ９４によりタイマＴ７がセットされてＳ４８に戻る。」（段落００９９）
　
　前記摘示の記載事項によれば、引用例には、以下の発明（以下、「先願発明」という。）が記載されているものと認められる。
　「（ａ’）カード挿入・排出口１３３からカードを挿入すれば記録情報がカードリーダライタにより読取られるカード処理機６２と、
　パチンコ遊技機６０の左右方向一側部にはカード処理機６２がパチンコ遊技機６０に対し分離可能な状態で設けられ、
　パチンコ玉の入賞信号と玉貸要求信号が与えられ、払出ソレノイド２２３にソレノイド励磁用制御信号を出力し、打球貯留部３４にパチンコ玉を払出す払出制御用マイクロコンピュータ３５０と、
　始動入賞玉検出スイッチ１２８ａの検出信号に基づいて可変表示装置１２３の可変制御を行なうと共に、この始動入賞玉検出スイッチ１２８ａの検出信号と入賞玉処理機構４４５の入賞玉センサＡ（１７０ａ），Ｂ（１７０ｂ）の検出信号を払出制御用マイクロコンピュータ３５０へ入力するゲーム制御用マイクロコンピュータ３７０とを有するパチンコ遊技機６０と、
　を備えたカード処理機６２が設けられたパチンコ遊技機６０において、
（ｂ’）払出制御用マイクロコンピュータ３５０からフォトカプラが内蔵される情報入力回路３１２を介して、払出可能信号，玉貸準備信号，貸玉完了信号が入力され、前述した各種信号がフォトカプラを介してカード処理機制御用マイクロコンピュータ３００に入力され、カード処理機制御用マイクロコンピュータ３００からフォトカプラが内蔵される情報入力回路３６５を介して、玉貸要求信号が入力され、前述した信号がフォトカプラを介して払出制御用マイクロコンピュータ３５０に入力されると共に、
　玉貸スイッチ（玉貸操作検出器）４４ｄ，返却スイッチ（返却操作検出器）４２ｄ，残金額表示器（カード残高表示器）５０，玉貸可ＬＥＤ（玉貸可表示器）４８ｄを前面板２の前面側に取付けられた打球供給皿補助部材３６に設け、
（ｃ’）上記払出制御用マイクロコンピュータ３５０は、
　Ｓ４８により玉確認センサＡ，Ｂ共に玉有の検出をしているか否かの判断が行なわれ、パチンコ玉が存在する場合にはＳ４９に進み、満タン検出が行なわれているか否かの判断が行なわれ、余剰玉貯留皿１２２が未だに満杯になっていなければＳ５０に進み、未払出数が「０」の場合には、Ｓ５１に進み、カード処理機制御用マイクロコンピュータから玉貸要求信号があったか否かの判断が行なわれ、玉貸要求信号が送信されてくれば、Ｓ５１によりＹＥＳの判断がなされてＳ５２に進み、タンク玉センサが玉を検出しているか否かの判断が行なわれ、検出しておればＳ５４を経てＳ５５に進み、カード処理機制御用マイクロコンピュータ３００に玉貸準備信号を出力し、
　Ｓ５４により未払出数に単位額（たとえば１００円）に相当するパチンコ玉の個数（たとえば２５個）に定められているｐをセットし、払出状態を「玉貸」にセットする処理が行なわれ、Ｓ８９によりパチンコ玉が払出される毎に未払出数が「１」ずつ減算され、未払出数＝０であるか否かの判断が行なわれ、０の場合にはＳ９２に進み、カード処理機制御用マイクロコンピュータ３００に玉貸完了信号を出力する処理が行なわれＳ４８に戻り、
（ｄ’）上記カード処理機６２は、
　１回の玉貸操作により払出される貸玉額を予め入力設定するための貸玉額設定スイッチ１３７が設けられており、１００円，２００円，３００円，４００円，５００円の５種類の金額が入力設定できるようになっており、
　遊技者が玉貸ボタン４４ｃを押圧操作すればＳ１３に進み、挿入カードの現在残高が貸玉額設定スイッチ１３７で設定された設定額以上であるか否かの判断が行なわれ、現在残高が設定額以上であった場合にはＳ１４により貸玉額にその設定額をセットする処理がなされてＳ１６に進み、現在残高が設定額未満であった場合にはＳ１５により貸玉額に現在残高をセットし、
　次にＳ１７に進み、払出制御用マイクロコンピュータに玉貸要求信号の出力を開始する制御がなされＳ１８を経てＳ１９に進み、払出制御用マイクロコンピュータから玉貸準備信号が入力されたか否かの判断がなされ入力があった場合にはＳ３５，Ｓ３７を経てＳ３８に進み、貸玉額＝０であるか否かの判断がなされ、Ｓ１４，Ｓ１５によってセットされた貸玉額に相当するパチンコ玉のうちまだ払出されていない未払出分が残っている場合にはＮＯの判断がなされＳ１７に進み、払出制御用マイクロコンピュータに再度玉貸要求信号の出力がなされるカード処理機６２が設けられたパチンコ遊技機６０。」
　
４．対比・判断
　本願発明と先願発明を、前記２．本願発明で分説した構成要件ａ乃至ｄごとに対比する。
　
構成要件ａについて；
　先願発明の「カード挿入・排出口１３３」は本願発明の「カード挿排口」に相当し、以下同様に、「カード処理機６２」は「球貸機」に、「パチンコ遊技機６０」は「パチンコ遊技機」に、「打球貯留部３４」は「供給皿」に、「払出制御用マイクロコンピュータ３５０」は「排出制御装置」に、「ゲーム制御用マイクロコンピュータ３７０」は「遊技盤制御装置」にそれぞれ相当する。
　引用例の図１から、「カード挿入・排出口１３３」は「球貸機」の前面に設けられていることが明らかである。
　先願発明の「パチンコ遊技機６０の左右方向一側部にはカード処理機６２がパチンコ遊技機６０に対し分離可能な状態で設けられ、」は、本願発明の（パチンコ遊技機が）「球貸機と対を成し、」ということができる。
　先願発明の「パチンコ玉の入賞信号と玉貸要求信号が与えられ、払出ソレノイド２２３にソレノイド励磁用制御信号を出力し、…払出す」点は、記載事項３９及び４４を参酌すれば、本願発明の「賞球または貸球としての遊技球を排出するための排出制御を行う」構成に対応するものである。
　先願発明の「打球貯留部３４にパチンコ玉を（払出す）」は、引用例の図１及び４から、打球貯留部３４が（パチンコ遊技機の）前面に設けられていることが明らかであるから、本願発明の「前面に設けられた供給皿側へ（排出する）」ということができる。
　先願発明の「始動入賞玉検出スイッチ１２８ａの検出信号に基づいて可変表示装置１２３の可変制御を行なう」は、可変表示装置１２３の可変制御が遊技盤に関する制御であることが明らかなので、本願発明の「遊技盤に関する制御を司る」ということができる。
　先願発明の「始動入賞玉検出スイッチ１２８ａの検出信号と入賞玉処理機構４４５の入賞玉センサＡ（１７０ａ），Ｂ（１７０ｂ）の検出信号」は、本願発明の「賞球排出に関わる信号」ということができ、それらの信号は、「払出制御用マイクロコンピュータ３５０へ入力」される、即ち、本願発明のように「排出制御装置へ送信する」ものといえる。
　先願発明の「カード処理機６２が設けられたパチンコ遊技機６０」は、本願発明の「カード式パチンコ遊技装置」ということができる。
　そうすると、先願発明の構成要件ａ’は本願発明の構成要件ａの全てを備えるものである。
　
構成要件ｂについて；
　先願発明の「払出制御用マイクロコンピュータ３５０からフォトカプラが内蔵される情報入力回路３１２を介して、払出可能信号，玉貸準備信号，貸玉完了信号が入力され、前述した各種信号がフォトカプラを介してカード処理機制御用マイクロコンピュータ３００に入力され、カード処理機制御用マイクロコンピュータ３００からフォトカプラが内蔵される情報入力回路３６５を介して、玉貸要求信号が入力され、前述した信号がフォトカプラを介して払出制御用マイクロコンピュータ３５０に入力される」点について、払出制御用マイクロコンピュータ３５０、即ち、排出制御装置とカード処理機制御用マイクロコンピュータ３００とをフォトカプラを介して送受信するものであり、カード処理機制御用マイクロコンピュータ３００は、記載事項１から、カード処理機６２にはカード処理機制御部１３５が設けられ、記載事項９から、カード処理機制御部１３５にはカード処理機制御用マイクロコンピュータ３００が組込まれているものであるから、カード処理機６２、即ち、球貸機に設けられるものであるので、上記の点は、本願発明の「パチンコ遊技機の排出制御装置と上記球貸機とをフォトカプラを介して送受信可能に接続する」構成に対応するものである。
　先願発明の「玉貸スイッチ（玉貸操作検出器）４４ｄ」は本願発明の「変換スイッチ」に相当し、以下同様に、「返却スイッチ（返却操作検出器）４２ｄ」は「カード返却スイッチ」に、「残金額表示器（カード残高表示器）５０」は「カード残高表示器」に、「玉貸可ＬＥＤ（玉貸可表示器）４８ｄ」は「球貸可能表示器」にそれぞれ相当し、それらを、前面板２の前面側に取付けられた打球供給皿補助部材３６、即ち、パチンコ遊技機の前面に設けるものである。
　そうすると、先願発明の構成要件ｂ’は本願発明の構成要件ｂの全てを備えるものである。
　
構成要件ｃについて；
　先願発明の「Ｓ４８により玉確認センサＡ，Ｂ共に玉有の検出をしているか否かの判断が行なわれ、パチンコ玉が存在する場合にはＳ４９に進み、満タン検出が行なわれているか否かの判断が行なわれ、余剰玉貯留皿１２２が未だに満杯になっていなければＳ５０に進み、未払出数が「０」の場合には、Ｓ５１に進み、…Ｓ５２に進み、タンク玉センサが玉を検出しているか否かの判断が行なわれ、検出しておればＳ５４を経てＳ５５に進み、カード処理機制御用マイクロコンピュータ３００に玉貸準備信号を出力」する点について、先願発明の「玉貸準備信号」は、前記Ｓ４８、Ｓ４９、Ｓ５０及びＳ５２における判断が、球貸し排出が可能な状態にある場合か否かを判断するものであり、可能な状態にある場合にカード処理機制御用マイクロコンピュータ３００、即ち、球貸機に出力されるから、本願発明の「球貸し可能信号」に相当するので、上記の点は、本願発明の「球貸し排出が可能な状態にある場合に上記球貸機に対して球貸し可能信号を送信する」構成に対応するものである。
　先願発明の「Ｓ４８により…、Ｓ５１に進み、カード処理機制御用マイクロコンピュータから玉貸要求信号があったか否かの判断が行なわれ、玉貸要求信号が送信されてくれば、Ｓ５１によりＹＥＳの判断がなされてＳ５２に進み、…Ｓ５４により未払出数に単位額（たとえば１００円）に相当するパチンコ玉の個数（たとえば２５個）に定められているｐをセットし、払出状態を「玉貸」にセットする処理が行なわれ、Ｓ８９によりパチンコ玉が払出される毎に未払出数が「１」ずつ減算され、未払出数＝０であるか否かの判断が行なわれ、０の場合にはＳ９２に進み、カード処理機制御用マイクロコンピュータ３００に玉貸完了信号を出力する処理が行なわれ、Ｓ４８に戻」る点について、先願発明の「玉貸要求信号」は、本願発明の「排出要求信号」に相当し、、先願発明の「単位額（たとえば１００円）に相当するパチンコ玉の個数（たとえば２５個）」は、パチンコ遊技装置において、１００円による球貸しが最少額であることは、当業者にとって常識的な事項であるから、本願発明の「最小排出単位の個数の遊技球」に相当し、また、先願発明の「玉貸完了信号」は、Ｓ５４により未払出数にセットされた「最小排出単位の個数の遊技球」が０の場合に出力されるものであるから、本願発明の「該最小排出単位の個数の遊技球の排出終了ごとに排出が終了したことを示す信号」に相当し、その信号が出力された後にＳ４８に戻り、Ｓ５１によりカード処理機制御用マイクロコンピュータから玉貸要求信号があったか否かの判断が行なわれるのだから、上記の点は、「該球貸機から供給される排出要求を示す排出要求信号に基づいて、該排出要求信号ごとに最小排出単位の個数の遊技球を排出させる排出制御を行い、該最小排出単位の個数の遊技球の排出終了ごとに排出が終了したことを示す信号を上記球貸機へ送信する」構成に対応するものである。
　そうすると、先願発明の構成要件ｃ’は本願発明の構成要件ｃの全てを備えるものである。
　
構成要件ｄについて；
　先願発明の「１回の玉貸操作により払出される貸玉額を予め入力設定するための貸玉額設定スイッチ１３７が設けられており、１００円，２００円，３００円，４００円，５００円の５種類の金額が入力設定できるようになって」いる点について、「１００円」に相当するパチンコ玉の個数は、上記構成要件ｃについてで示したように、「最小排出単位の個数」ということができ、「２００円，３００円，４００円，５００円」は、その整数倍であるから、上記の点は、本願発明の「上記変換スイッチの一回の操作に対して上記最小排出単位の個数の整数倍単位で貸球数を設定可能な球貸し数設定手段を備え」る構成に対応するものである。
　先願発明の「遊技者が玉貸ボタン４４ｃを押圧操作すればＳ１３に進み、挿入カードの現在残高が貸玉額設定スイッチ１３７で設定された設定額以上であるか否かの判断が行なわれ、現在残高が設定額以上であった場合にはＳ１４により貸玉額にその設定額をセットする処理がなされてＳ１６に進み、現在残高が設定額未満であった場合にはＳ１５により貸玉額に現在残高をセット」する点について、先願発明の「遊技者が玉貸ボタン４４ｃを押圧操作」は、その機能や作用に照らしてみれば、本願発明の「変換スイッチの一回の操作」ということができ、以下同様に、「挿入カードの現在残高」は「挿入されたカードの残高」と、「貸玉額設定スイッチ１３７で設定された設定額」は「球貸し数設定手段により設定された貸球数に相当する金額」と、「Ｓ１４により貸玉額にその設定額をセットする処理がなされてＳ１６に進み、」は「該設定された貸球数の遊技球を排出させるように上記パチンコ遊技機の排出制御装置へ最小排出単位の排出要求を送信する一方」と、「Ｓ１５により貸玉額に現在残高をセット」は「当該挿入されたカードの残高に相当する貸球数の遊技球を排出させるように上記パチンコ遊技機の排出制御装置へ最小排出単位の排出要求信号を送信する」ということができるから、上記の点は、本願発明の「上記変換スイッチの一回の操作に基づき、挿入されたカードの残高が上記球貸し数設定手段により設定された貸球数に相当する金額を満たす場合には、該設定された貸球数の遊技球を排出させるように上記パチンコ遊技機の排出制御装置へ最小排出単位の排出要求を送信する一方、上記挿入されたカードの残高が上記球貸し数設定手段により設定された貸球数に相当する金額に満たない場合は、当該挿入されたカードの残高に相当する貸球数の遊技球を排出させるように上記パチンコ遊技機の排出制御装置へ最小排出単位の排出要求信号を送信するように成」す構成に対応するものである。
　先願発明の「次にＳ１７に進み、払出制御用マイクロコンピュータに玉貸要求信号の出力を開始する制御がなされＳ１８を経てＳ１９に進み、払出制御用マイクロコンピュータから玉貸準備信号が入力されたか否かの判断がなされ入力があった場合にはＳ３５，Ｓ３７を経てＳ３８に進み、貸玉額＝０であるか否かの判断がなされ、Ｓ１４，Ｓ１５によってセットされた貸玉額に相当するパチンコ玉のうちまだ払出されていない未払出分が残っている場合にはＮＯの判断がなされＳ１７に進み、払出制御用マイクロコンピュータに再度玉貸要求信号の出力がなされる」点について、払出制御用マイクロコンピュータから玉貸準備信号が入力されたか否かの判断により、パチンコ遊技機の排出制御装置が球貸し可能状態にあることを確認するものであり、また、未払出分が残っている場合には払出制御用マイクロコンピュータに再度玉貸要求信号の出力がなされることから、貸玉額＝０となるまで、Ｓ１７乃至Ｓ３８が繰り返されるものであり、玉貸要求信号の出力がなされた後のＳ１９において、払出制御用マイクロコンピュータから玉貸準備信号、即ち、球貸し可能信号が入力されたか否かの判断がなされるものであるから、上記の点は、本願発明の「該排出要求信号を送信するごとに上記球貸し可能信号により上記パチンコ遊技機の排出制御装置が球貸し可能状態にあることを確認する」構成に対応するものである。
　先願発明の「カード処理機６２が設けられたパチンコ遊技機６０」は、上記構成要件ａについてに示したとおり、本願発明の「カード式パチンコ遊技装置」ということができる。
　そうすると、先願発明の構成要件ｄ’は本願発明の構成要件ｄの全てを備えるものである。
　
　さらに、構成要件ａ乃至ｄを総合的に勘案しても、本願発明と先願発明に実質的な相違点は見あたらず、両者は同一の発明である。
　
６．むすび
　したがって，本願発明は，先願明細書に記載された発明と同一であり、しかも、本願発明の発明者が上記先願明細書に記載された発明の発明者と同一であるとも、また、本願の出願時に、その出願人が上記他の出願の出願人と同一であるとも認められないので、本願発明は、特許法２９条の２第１項の規定により特許を受けることができない。
　よって、結論のとおり審決する。